(57)【要約】【課題】簡素な構造を有し、既設の折戸に対しても容易に後付け施工が可能な折戸クローザーを提供する。【解決手段】カム１、アーム２、カム付勢手段３、ダンパー４を備え、カム１の側面には、回動中心から等距離に形成された円周面と、前記回動中心からの距離が径方向の一方から他方へ向かうにつれ減少するように形成された傾き面とを少なくとも備えており、アーム２は、先端部分２２が上記のレールＲに沿って移動可能とされ、基端部分が上記カム１の回動中心と同心において回動可能とされており、カム付勢手段３は、カム１の傾き面に当接した際にカム１を回動させるものであり、ダンパー４は、前記カム１の回動動作を制動する。【選択図】図１
2009293186.tif 000002
【特許請求の範囲】
【請求項１】
横方向に接続された複数枚の扉体（Ｄ〜Ｄ）を有しており、
上記の各扉体（Ｄ）における少なくとも一方の横端面（Ｄ１）には、この横端面（Ｄ１）に略平行に設けられたレール（Ｒ）に沿って移動可能な移動部（Ｍ）が設けられており、
同少なくとも一方の縦端面（Ｄ２）には、隣り合う扉体（Ｄ）と回動可能に連結するヒンジ（Ｈ）が設けられた折戸に取り付けられる折戸用ドアクローザーにおいて、
カム（１）、アーム（２）、カム付勢手段（３）、ダンパー（４）を備え、
これらは上記複数枚の扉体（Ｄ〜Ｄ）のうち、少なくとも一枚に設けられており、
カム（１）は水平面内を回動可能とされており、
カム（１）の側面には、回動中心から等距離に形成された円周面（１１）と、前記回動中心からの距離が径方向の一方から他方へ向かうにつれ減少するように形成された傾き面（１２）とを少なくとも備えており、
アーム（２）は、先端部分（２２）が上記のレール（Ｒ）に沿って移動可能とされ、基端部分が上記カム（１）の回動中心と同心において回動可能とされており、
カム付勢手段（３）は、上記カム（１）の傾き面（１２）に一部（３１）が当接した際にカム（１）を回動させるものであり、
ダンパー（４）は、上記カム付勢手段（３）によるカム（１）の回動動作を制動するものであることを特徴とする、折戸クローザー。
【請求項２】
横方向に接続された複数枚の扉体（Ｄ〜Ｄ）を有しており、
上記の各扉体（Ｄ）における少なくとも一方の横端面（Ｄ１）には、この横端面（Ｄ１）に略平行に設けられたレール（Ｒ）に沿って移動可能な移動部（Ｍ）が設けられており、
同少なくとも一方の縦端面（Ｄ２）には、隣り合う扉体（Ｄ）と回動可能に連結するヒンジ（Ｈ）が設けられた折戸に取り付けられる折戸用ドアクローザーにおいて、
カム（１）、アーム（２）、カム付勢手段（３）、ダンパー（４）を備え、
これらは上記複数枚の扉体（Ｄ〜Ｄ）のうち、少なくとも一枚に設けられており、
アーム（２）は、先端部分（２２）と基端部分との距離が一定であり、先端部分（２２）は上記のレール（Ｒ）に沿って移動可能とされ、基端部分が扉体（Ｄ）に対して回動可能とされており、
カム（１）は、上記アーム（２）の基端部分に連動して、水平面内を回動可能とされており、
カム（１）の側面のうち、周方向における一定範囲には、カムの回動中心からの距離が径方向の一方から他方へ向かうにつれ減少するように形成された傾き面（１２）を備えており、
カム付勢手段（３）は、カム（１）の上記傾き面（１２）に当接するカム当接部（３１）を有しており、
ダンパー（４）は、上記カム付勢手段（３）によるカム（１）の回動動作を制動するものであって、
閉鎖動作の初期に、扉体（Ｄ）が人為的な操作によって移動されるに伴い、アーム（２）の先端部分（２２）がレール（Ｒ）に沿って移動し、レール（Ｒ）と扉体（Ｄ）の角度が順次変化していくに伴って、アーム（２）が基端部分を中心として回動し、カム（１）もこれに連動して回動し、
上記の回動により、カム（１）と付勢手段（３）との位置関係が順次変化し、付勢手段（３）のカム当接部（３１）がカムの上記傾き面（１２）に当接した後は、付勢手段（３）の付勢力によってカム（１）及びアーム（２）が回動し、これにより扉体（Ｄ）が自動的に閉鎖するものであり、
上記の回動が、ダンパー（４）により減速しつつなされることを特徴とする、折戸クローザー。
【請求項３】
横方向に接続された複数枚の扉体（Ｄ〜Ｄ）を有しており、
上記の各扉体（Ｄ）における少なくとも一方の横端面（Ｄ１）には、この横端面（Ｄ１）に略平行に設けられたレール（Ｒ）に沿って移動可能な移動部（Ｍ）が設けられており、
同少なくとも一方の縦端面（Ｄ２）には、隣り合う扉体（Ｄ）と回動可能に連結するヒンジ（Ｈ）が設けられた折戸であって、
カム（１）、アーム（２）、カム付勢手段（３）、ダンパー（４）を備え、
これらは上記複数枚の扉体（Ｄ〜Ｄ）のうち、少なくとも一枚に設けられており、
カム（１）は水平面内を回動可能とされており、
カム（１）の側面には、回動中心から等距離に形成された円周面（１１）と、前記回動中心からの距離が径方向の一方から他方へ向かうにつれ減少するように形成された傾き面（１２）とを少なくとも備えており、
アーム（２）は、先端部分（２２）が上記のレール（Ｒ）に沿って移動可能とされ、基端部分が上記カム（１）の回動中心と同心において回動可能とされており、
カム付勢手段（３）は、上記カム（１）の傾き面（１２）に一部（３１）が当接した際にカム（１）を回動させるものであり、
ダンパー（４）は、上記カム付勢手段（３）によるカム（１）の回動動作を制動するものであることを特徴とする、クローザー機能を備えた折戸。
【請求項４】
横方向に接続された複数枚の扉体（Ｄ〜Ｄ）を有しており、
上記の各扉体（Ｄ）における少なくとも一方の横端面（Ｄ１）には、この横端面（Ｄ１）に略平行に設けられたレール（Ｒ）に沿って移動可能な移動部（Ｍ）が設けられており、
同少なくとも一方の縦端面（Ｄ２）には、隣り合う扉体（Ｄ）と回動可能に連結するヒンジ（Ｈ）が設けられた折戸に取り付けられる折戸であって、
カム（１）、アーム（２）、カム付勢手段（３）、ダンパー（４）を備え、
これらは上記複数枚の扉体（Ｄ〜Ｄ）のうち、少なくとも一枚に設けられており、
アーム（２）は、先端部分（２２）と基端部分との距離が一定であり、先端部分（２２）は上記のレール（Ｒ）に沿って移動可能とされ、基端部分が扉体（Ｄ）に対して回動可能とされており、
カム（１）は、上記アーム（２）の基端部分に連動して、水平面内を回動可能とされており、
カム（１）の側面のうち、周方向における一定範囲には、カムの回動中心からの距離が径方向の一方から他方へ向かうにつれ減少するように形成された傾き面（１２）を備えており、
カム付勢手段（３）は、カム（１）の上記傾き面（１２）に当接するカム当接部（３１）を有しており、
ダンパー（４）は、上記カム付勢手段（３）によるカム（１）の回動動作を制動するものであって、
閉鎖動作の初期に、扉体（Ｄ）が人為的な操作によって移動されるに伴い、アーム（２）の先端部分（２２）がレール（Ｒ）に沿って移動し、レール（Ｒ）と扉体（Ｄ）の角度が順次変化していくに伴って、アーム（２）が基端部分を中心として回動し、カム（１）もこれに連動して回動し、
上記の回動により、カム（１）と付勢手段（３）との位置関係が順次変化し、付勢手段（３）のカム当接部（３１）がカムの上記傾き面（１２）に当接した後は、付勢手段（３）の付勢力によってカム（１）及びアーム（２）が回動し、これにより扉体（Ｄ）が自動的に閉鎖するものであり、
上記の回動が、ダンパー（４）により減速しつつなされることを特徴とする、クローザー機能を備えた折戸。
【発明の詳細な説明】
【技術分野】
【０００１】
本願発明は、折戸クローザー及びこれを備えた折戸に関するものである。
【背景技術】
【０００２】
【特許文献１】特開２００８−３８４４１号公報
【０００３】
ばねなどの付勢によって自動的に閉鎖できる折戸は従来から存在しているが、これに関連する一例として、特許文献１に記載の発明が存在している。
【０００４】
これは、扉体を連結するセンターヒンジにばねが組み込まれたものであり、扉体を閉鎖する動作の終わり頃には、操作者が扉体に添えた手を離しても、ばねの付勢によって、自動的に扉体を完全に閉じることができる。
【０００５】
特許文献１に記載の発明では、各扉体をつなぐ回動アームと、この回動アームに接続されたロータリーダンパーとを備えた制動装置が設けられており、ロータリーダンパーの制動力によって、上記の自動的な閉鎖動作が滑らかに行われる。
【発明の開示】
【発明が解決しようとする課題】
【０００６】
しかしながら、この特許文献１に記載の発明は、従来から存在した、ばねが組み込まれたセンターヒンジとは別に制動装置を設けたものであって、構造が複雑となってしまうし、製造コストの点でも不利となる。
【０００７】
また、この制動装置は、当該文献中に図示されたように、ロータリーダンパーを扉体の端面に埋め込むようにして設けられる。そのため、既設の折戸に後付けで取り付けるには、構造上不可能な場合や、可能であったとしても大変手間がかかる場合があった。
【０００８】
本願発明は上記のことに鑑み、簡素な構造を有する折戸クローザー及びこれを備えた折戸を提供することを課題とする。
【０００９】
そして、既設の折戸に対しても容易に後付け施工が可能な折戸クローザーを提供することを課題とする。
【課題を解決するための手段】
【００１０】
上記課題を解決するために、本願の請求項１に記載の発明は、横方向に接続された複数枚の扉体Ｄ〜Ｄを有しており、上記の各扉体Ｄにおける少なくとも一方の横端面Ｄ１には、この横端面Ｄ１に略平行に設けられたレールＲに沿って移動可能な移動部Ｍが設けられており、同少なくとも一方の縦端面Ｄ２には、隣り合う扉体Ｄと回動可能に連結するヒンジＨが設けられた折戸に取り付けられる折戸用ドアクローザーにおいて、カム１、アーム２、カム付勢手段３、ダンパー４を備え、これらは上記複数枚の扉体Ｄ〜Ｄのうち、少なくとも一枚に設けられており、カム１は水平面内を回動可能とされており、カム１の側面には、回動中心から等距離に形成された円周面１１と、前記回動中心からの距離が径方向の一方から他方へ向かうにつれ減少するように形成された傾き面１２とを少なくとも備えており、アーム２は、先端部分２２が上記のレールＲに沿って移動可能とされ、基端部分が上記カム１の回動中心と同心において回動可能とされており、カム付勢手段３は、上記カム１の傾き面１２に一部３１が当接した際にカム１を回動させるものであり、ダンパー４は、上記カム付勢手段３によるカム１の回動動作を制動するものであることを特徴とする、折戸クローザーを提供する。
【００１１】
また、本願の請求項２に記載の発明は、横方向に接続された複数枚の扉体Ｄ〜Ｄを有しており、上記の各扉体Ｄにおける少なくとも一方の横端面Ｄ１には、この横端面Ｄ１に略平行に設けられたレールＲに沿って移動可能な移動部Ｍが設けられており、同少なくとも一方の縦端面Ｄ２には、隣り合う扉体Ｄと回動可能に連結するヒンジＨが設けられた折戸に取り付けられる折戸用ドアクローザーにおいて、カム１、アーム２、カム付勢手段３、ダンパー４を備え、これらは上記複数枚の扉体Ｄ〜Ｄのうち、少なくとも一枚に設けられており、アーム２は、先端部分２２と基端部分との距離が一定であり、先端部分２２は上記のレールＲに沿って移動可能とされ、基端部分が扉体Ｄに対して回動可能とされており、カム１は、上記アーム２の基端部分に連動して、水平面内を回動可能とされており、カム１の側面のうち、周方向における一定範囲には、カムの回動中心からの距離が径方向の一方から他方へ向かうにつれ減少するように形成された傾き面１２を備えており、カム付勢手段３は、カム１の上記傾き面１２に当接するカム当接部３１を有しており、ダンパー４は、上記カム付勢手段３によるカム１の回動動作を制動するものであって、閉鎖動作の初期に、扉体Ｄが人為的な操作によって移動されるに伴い、アーム２の先端部分２２がレールＲに沿って移動し、レールＲと扉体Ｄの角度が順次変化していくに伴って、アーム２が基端部分を中心として回動し、カム１もこれに連動して回動し、上記の回動により、カム１と付勢手段３との位置関係が順次変化し、付勢手段３のカム当接部３１がカムの上記傾き面１２に当接した後は、付勢手段３の付勢力によってカム１及びアーム２が回動し、これにより扉体Ｄが自動的に閉鎖するものであり、上記の回動が、ダンパー４により減速しつつなされることを特徴とする、折戸クローザーを提供する。
【００１２】
また、本願の請求項３に記載の発明は、横方向に接続された複数枚の扉体Ｄ〜Ｄを有しており、上記の各扉体Ｄにおける少なくとも一方の横端面Ｄ１には、この横端面Ｄ１に略平行に設けられたレールＲに沿って移動可能な移動部Ｍが設けられており、同少なくとも一方の縦端面Ｄ２には、隣り合う扉体Ｄと回動可能に連結するヒンジＨが設けられた折戸に取り付けられる折戸であって、カム１、アーム２、カム付勢手段３、ダンパー４を備え、これらは上記複数枚の扉体Ｄ〜Ｄのうち、少なくとも一枚に設けられており、カム１は水平面内を回動可能とされており、カム１の側面には、回動中心から等距離に形成された円周面１１と、前記回動中心からの距離が径方向の一方から他方へ向かうにつれ減少するように形成された傾き面１２とを少なくとも備えており、アーム２は、先端部分２２が上記のレールＲに沿って移動可能とされ、基端部分が上記カム１の回動中心と同心において回動可能とされており、カム付勢手段３は、上記カム１の傾き面１２に一部３１が当接した際にカム１を回動させるものであり、ダンパー４は、上記カム付勢手段３によるカム１の回動動作を制動するものであることを特徴とする、クローザー機能を備えた折戸を提供する。
【００１３】
また、本願の請求項４に記載の発明は、横方向に接続された複数枚の扉体Ｄ〜Ｄを有しており、上記の各扉体Ｄにおける少なくとも一方の横端面Ｄ１には、この横端面Ｄ１に略平行に設けられたレールＲに沿って移動可能な移動部Ｍが設けられており、同少なくとも一方の縦端面Ｄ２には、隣り合う扉体Ｄと回動可能に連結するヒンジＨが設けられた折戸に取り付けられる折戸であって、カム１、アーム２、カム付勢手段３、ダンパー４を備え、これらは上記複数枚の扉体Ｄ〜Ｄのうち、少なくとも一枚に設けられており、アーム２は、先端部分２２と基端部分との距離が一定であり、先端部分２２は上記のレールＲに沿って移動可能とされ、基端部分が扉体Ｄに対して回動可能とされており、カム１は、上記アーム２の基端部分に連動して、水平面内を回動可能とされており、カム１の側面のうち、周方向における一定範囲には、カムの回動中心からの距離が径方向の一方から他方へ向かうにつれ減少するように形成された傾き面１２を備えており、カム付勢手段３は、カム１の上記傾き面１２に当接するカム当接部３１を有しており、ダンパー４は、上記カム付勢手段３によるカム１の回動動作を制動するものであって、閉鎖動作の初期に、扉体Ｄが人為的な操作によって移動されるに伴い、アーム２の先端部分２２がレールＲに沿って移動し、レールＲと扉体Ｄの角度が順次変化していくに伴って、アーム２が基端部分を中心として回動し、カム１もこれに連動して回動し、上記の回動により、カム１と付勢手段３との位置関係が順次変化し、付勢手段３のカム当接部３１がカムの上記傾き面１２に当接した後は、付勢手段３の付勢力によってカム１及びアーム２が回動し、これにより扉体Ｄが自動的に閉鎖するものであり、上記の回動が、ダンパー４により減速しつつなされることを特徴とする、クローザー機能を備えた折戸を提供する。
【発明の効果】
【００１４】
本願発明は、カム、アーム、カム付勢手段、ダンパーによって折戸を制動させつつ自動的に閉鎖できるものであることから、従来より簡素な構造を有する折戸クローザー及びこれを備えた折戸を提供することができたものである。
【００１５】
そして、単一のユニットを折戸に取り付けるだけで良いことから、既設の折戸に対して容易に後付けできる折戸クローザーを提供することができたものである。
【発明を実施するための最良の形態】
【００１６】
以下、図面に基づき本願発明の実施の形態の一例をとりあげて説明する。図１は扉体の開放時と閉鎖時とを一図に示した横断面視の概略図、図２はクローザー部分を示す縦断面視の概略図及びカムの単体を示す平面図、図３は扉体が閉鎖されつつある際のアーム、カム、ダンパー各々の位置関係を示す概略図である。
【００１７】
本願発明に係るクローザーが取り付けられる折戸は、例えば特許文献１に記載の、従来から用いられているタイプのものである。具体的には、建物側の框などに設けられたレールＲに沿って移動可能とされた複数枚（本例では２枚であるがこれに限らない）の扉体Ｄ〜Ｄを有するものである。個々の扉体Ｄは縦長の短冊状とされていて、これらが複数枚、横方向に接続されている。開放時には、これらの各扉体Ｄ〜Ｄを折り重ねるようにして畳むことができる。
【００１８】
なお上記のレールＲは、閉鎖時における各扉体Ｄ〜Ｄの横端面Ｄ１に略平行な関係に設けられている。本例においてこのレールＲは、下方が開口した断面略Ｃ形の形状を有するものとされているが、下記の移動体Ｍを移動可能に保持できるものであれば種々の形状で実施することができる。また、このレールＲは本例のように直線状に延びる形状に限られず、湾曲した形状であっても良い。また、レールＲは各扉体Ｄ〜Ｄの上側にのみ設けられ、下記の移動体Ｍによって、レールＲから各扉体Ｄ〜Ｄが吊下げられた形で支持されていても良いし、レールＲを各扉体Ｄ〜Ｄの上側と下側のいずれにも設け、各扉体Ｄ〜Ｄが上下で支持されていても良い。
【００１９】
上記の各扉体Ｄ〜Ｄにおける、（上辺・下辺）少なくとも一方の横端面Ｄ１には、上記のレールに沿って移動可能な移動部Ｍが設けられている。この移動部Ｍは、本例では、図１及び図２（Ａ）に示すように、レールＲの内面を走行する戸車とされている。各扉体Ｄ〜Ｄは、開閉動作に伴ってレールＲに対する角度が順次変わっていくため、この戸車と各扉体Ｄ〜Ｄとの間は回動可能に接続されている。
【００２０】
この移動部Ｍは、本例のような戸車に限定されるものではなく、例えば各扉体Ｄ〜Ｄの横端面Ｄ１から突出した棒状体がレールＲに対して摺動可能に支持されたものであっても良く、種々に変更が可能である。
【００２１】
また、各扉体Ｄ〜Ｄの横端面Ｄ１において移動体Ｍが設けられる箇所についても限定されるものではなく、横方向における端部に設けられたものであっても良いし、中央部に設けられたものであっても良い。端部に移動体Ｍが設けられた場合は、折戸を開放した場合に各扉体Ｄ〜ＤがレールＲを基準とした手前あるいは奥側にせり出すようにして畳まれ、中央部に移動体Ｍが設けられた場合は、折戸を開放した場合に各扉体Ｄ〜ＤがレールＲを基準とした手前及び奥側に均等にせり出すようにして畳まれる。
【００２２】
各扉体Ｄ〜Ｄの少なくとも一方の縦端面Ｄ２には、隣り合う扉体Ｄと回動可能に連結するためのヒンジＨが設けられている。このヒンジＨは、横方向において隣り合う一方については山折り可能に、他方は谷折り可能にされており、これにより、折戸を開放した際には、隣り合う扉体Ｄ，Ｄをそれぞれ重なり合うように畳むことができる。本願発明では、従来のものと異なり、このヒンジＨにばねなどを組み込む必要がなく、簡素な汎用品を使用することができる。
【００２３】
複数枚の扉体Ｄ〜Ｄのうち、両端に位置する扉体Ｄ，Ｄについては、他の扉体Ｄと接続されない方の縦端面Ｄ２が、建物側（戸枠など）に対して離れないように取り付けられていても良いし（固定式折戸）、接近・離反可能とされていても良い（フリー走行式折戸）。
【００２４】
本願発明に係る折戸クローザーは、カム１、アーム２、カム付勢手段３、ダンパー４を備えている。本例では、上記の各構成要素がアーム２を除いて箱状のケーシング５に収納されており、このケーシング５を扉体Ｄの表面に取り付けることで、容易に後付け施工が可能であって、クローザーの設けられていない折戸を、容易に自動閉鎖できるものに改造できる。
【００２５】
また、取り付け対象の折戸は、図１に示すように、閉鎖時における各扉体Ｄ〜ＤとレールＲとが平面視において重ならずに配置される「アウトセット折戸」であっても良いし、上記各扉体Ｄ〜ＤとレールＲとが平面視において重なるように配置される「インセット折戸」であっても良く、形式は問わない。
【００２６】
この折戸クローザーは、上記のように複数枚の扉体Ｄ〜Ｄのうち、少なくとも一枚に設けられる。折戸全体として構造を簡素化するのであれば、折戸一つに対してクローザーを一つだけ設けることが望ましいが、例えば折戸一つを構成する扉体Ｄ〜Ｄの枚数が多い場合や、扉体Ｄの一つ当たりの重量が大きく、一つのクローザーで折戸全体を動作させるのが難しい場合は、折戸一つに対してクローザーを複数設けても良い。
【００２７】
カム１は水平面内を回動可能とされた板状体である。本例では、図２（Ａ）に示すように、ケーシング５を貫通するようにして上下方向に設けられた回動軸６に取り付けられている。よって、カム１の回動中心は、折戸クローザーが取り付けられた扉体Ｄに対して常に等距離にある。そしてカム１には、上記の回動軸６を貫通させる貫通孔１４が設けられている。
【００２８】
そして、図２（Ｂ）に示すように、カム１の側面には、回動中心から等距離とされた円周面１１と、この円周面１１に隣り合うものであって、前記回動中心からの距離が径方向の一方から他方へ向かうにつれ減少する傾き面１２とを少なくとも備えている。この円周面１１は、折戸の閉鎖過程の初期において人為的に扉体Ｄを移動させる際にカム付勢手段３のカム当接部３１が当接する面であり、傾き面１２は、折戸の閉鎖過程の終期においてカム当接部３１が当接する面であって、各々周方向における一定範囲に設けられている。
【００２９】
そしてカム１には、下記のダンパー４が制動動作をなす際において、このダンパー４と少なくとも当接するダンパー接続部１３を備えている。本例ではこのダンパー接続部１３が、図２（Ｂ）に示すように、カム１の側面において径方向にほぼ沿うようにして設けられ、かつダンパー４の先端部分４１に対向する面とされている。図３（Ｃ）に示すように、この面にダンパー４の先端部分４１が当接することによって、ダンパー４の制動作用がカム１に伝達される。
【００３０】
上記のダンパー接続部１３は本例ではカム１に設けられているが、本願発明ではこれに限られるものではなく、カム１の回動位置に応じてダンパー４を作動させるための起点となるものであれば良く、例えば、アーム２や回動軸６に設けられていても良い。また、本例ではダンパー接続部１３が上記のように面とされており、この面がダンパー４の作動時以外はダンパー４の先端部分４１から離れており、作動時には先端部分４１に直接当接するものとされているが、このダンパー接続部１３とダンパー４との間にリンク機構などが挟まれ、常時接続されていても良い。
【００３１】
また、ダンパー接続部１３自体を設けなくても良い。例えば、カム１の回動軸を回転式ダンパーに接続しておき、この回転式ダンパーを、一定の回動位置に達した後に制動作用が生じるものとしておくことで、本例と同様の作用を発揮するものとできる。
【００３２】
本例のカム１においては、径寸法が一定であり相対的に大径である上記の円周面１１と、径寸法が一定であり相対的に小径である小径面１５、そして前記各面１１，１５の間につき、一方側には平面状とされた上記傾き面１２が設けられており（円周面１１と傾き面１２との間はアールを介して接続されている）、他方側には平面状とされた上記ダンパー接続部１３が設けられている。カム１の形状は本例のものに限られるものではなく、カム付勢手段３の付勢力を均衡させて保つための面である円周面１１と、前記付勢力をカム１の回転力に転換するための傾き面１２が備えられていれば、その他種々の形状にて実施できる。
【００３３】
アーム２は、先端部分が上記のレールＲに沿って移動可能とされ、基端部分が上記カム１の回動中心と同心において回動可能とされている。具体的には、前記回動中心に一致して設けられた上記の回動軸６に、カム１と共にアーム２が取り付けられている。本例におけるアーム２は、図１及び図２（Ａ）に示すように、平たい棒状の本体部２１と、この本体部２１の先端部分に設けられた樹脂製のローラー２２とを備えている。ローラー２２はレールＲの内部に、水平面内を回動可能に配位されており、このレールＲに沿って移動可能とされている。なお、ローラー２２は本願発明にとって必須ではなく、アーム２の先端部分が直接レールＲの内部を摺動するものであっても良い。
【００３４】
本例では、レールＲにおける対向する両内面間に挟まれるようにしてこのローラー２２が移動するように設けられている。よって、折戸の開放・閉鎖動作の際に戸車が走行方向に対して横方向にずれることがこのローラー２２の存在により抑えられる。よって、上記戸車のずれによって生じる、扉体Ｄの蛇行が起こりにくく、安定した開放・閉鎖動作が可能である。
【００３５】
なお、アーム２の本体部２１は、図２（Ａ）に示すようにレールＲの外部に設けられるため、本体部２１とローラー２２とは連結軸２３によって連結されており、本体部２１が下側に、ローラー２２が上側に位置するものとされている。
【００３６】
本例では、図２（Ａ）に示すように、カム１もアーム２の本体部２１も共に回動軸６に固定されているため、アーム２が回動すると、その回動角度分カム１も回動する。ただ、カム１とアーム２との関係はこのようなものに限られず、カム１とアーム２との間に歯車、ローラー、ベルト、チェーンなどの伝達手段を設けることにより、回動の伝達が増速されたり、減速されたりするようにされていても良い。
【００３７】
カム付勢手段３は、上記カム１の傾き面１２に一部が当接した際にカム１を回動させるものである。このカム付勢手段３の具体的な作用については後述する。本例では湾曲した形状の板ばねが用いられており、その一部が更に「へ」の字状に変形され、この部分がカム当接部３１として、カム１の側面に常時当接している。カム当接部３１からカム１へと働く付勢力の方向は、本例では図３（Ｂ）に矢印で示したように、カム１の回動中心に向かう方向（径方向）とほぼ一致しているが、カム当接部３１がカム１の傾き面１２に当接した際において、カム１を回動させるように付勢力が働くのであれば、これに限られない。なお、このカム付勢手段３は、本例のように板ばねに限られるものではなく、例えばコイルばねなどの他の形式の付勢手段であっても良い。
【００３８】
ダンパー４は、上記のカム付勢手段３によるカム１の回動動作を制動するものである。本例では直動式の油圧ダンパーが用いられており、シリンダー４２が押し込まれることにより制動作用を発揮する。なお、このダンパー４は本例のような直動式ダンパーに限定されるものではなく、回転式ダンパーなどであっても良い。
【００３９】
次に、この折戸クローザーの実際の動作について説明する。この折戸クローザーが取り付けられた折戸は、閉鎖動作の初期については従来通り操作者が人為的に行うが、完全に閉まり切る直前、具体的には折戸が完全に閉まるまでに扉体Ｄと建物側の戸枠などとの間に約１０cmの隙間が残された状態となるとカム付勢手段３の当接部分３１がカム１の傾き面１２に当接する。ここでカム付勢手段３の付勢力をカム１が受けて、カム１が自動的に図示反時計回りに回転する（図３（Ｂ）参照）。
【００４０】
ここで、折戸の閉鎖動作の初期から途中段階までは、カム１はアーム２によって図３上で反時計回りに回転させられる。この際、図３（Ａ）に示すように、カム付勢手段３のカム当接部３１はカム１の円周面１１に当接している。この状態では、カム付勢手段３の付勢力の方向と円周面１１とがほぼ直交しているため、この付勢力はカム１を回動させるように働かずに均衡が保たれる。しかし、次の段階で図３（Ｂ）に示すように、カム当接部３１がカム１の傾き面１２に当接すると、カム付勢手段３の付勢力の方向と傾き面１２との間での上記直交する関係が崩れて傾いた状態になる。そのため、カム１は、カム付勢手段３の付勢力を受ける位置が径寸法の大きい部分から小きい部分へとずれていく。つまり、上記付勢力がカム１の回転力に転換される。上記のずれに伴い、図３（Ｂ）に矢印で示すようにカム１が反時計方向に自動的に移動する。この移動によって、図３（Ｃ）に示すように、ダンパー接続部１３にダンパー４の先端部４１が当接する。
【００４１】
上記の反時計方向の回転はアーム２によって扉体Ｄに伝達される。これによって各扉体Ｄ〜Ｄが自動的に閉鎖していく。このように扉体Ｄの自動閉鎖がされるため、折戸を操作する者が閉鎖動作の最終段階まで扉体Ｄに触れ続ける必要がない。この最終段階では、従来、指を各扉体Ｄ，Ｄの間に挟んでしまう可能性があったが、上記自動閉鎖によりそのような可能性を極力小さくでき、折戸を安全に閉鎖することができる。
【００４２】
ダンパー接続部１３にダンパー４の先端部４１が当接した後においては、カム１の回転がこのダンパー４によって減速され、これに応じて上記各扉体Ｄ〜Ｄの自動閉鎖も減速されつつなされる。よって、急に扉体が閉鎖してしまうことによって生じる衝撃音がなく、静粛に閉鎖できる。また、閉鎖動作の最終段階で折戸がゆっくりと動作するため、操作者が指を扉体Ｄと戸枠との間に挟んでしまう危険性も小さく、安全に閉鎖できる。
【００４３】
なお、折戸を開放する際には、操作者が扉体Ｄを人為的に移動させると、カム１とアーム２とが逆回転し、元の状態に復帰する。この際にはダンパー４による制動がなされないため、軽快に復帰させることができる。
【図面の簡単な説明】
【００４４】
【図１】扉体の開放時と閉鎖時とを示す横断面視の概略図である。
【図２】（Ａ）はクローザー部分を示す縦断面視の概略図、（Ｂ）はカムを示す平面図である。
【図３】（Ａ）〜（Ｃ）とも、扉体が閉鎖されつつある際のアーム、カム、ダンパー各々の位置関係を示す概略図である。
【符号の説明】
【００４５】
１      カム
１１    円周面
１２    傾き面
２      アーム
２２    先端部分、ローラー
３      カム付勢手段
３１    カム当接部
４      ダンパー
Ｄ      扉体
Ｄ１    扉体の横端面
Ｄ２    扉体の縦端面
Ｍ      移動部
Ｒ      レール
【図１】
2009293186.tif 000003
【図２】
2009293186.tif 000004
【図３】
2009293186.tif 000005